(57)【要約】【課題】複数の加熱手段の操作キーの配置をわかりやすし、誤って操作してしまうことのない使い勝手と安全性の向上を図ること。【解決手段】トッププレート２４に誘導加熱ヒーター部を示すサークルパターンＡ２５と電気抵抗発熱式ヒーター部を示すサークルパターンＢ２６を描き、それぞれのサークルパターンの下方に、加熱調理を行うための誘導加熱コイルや電気抵抗発熱式ヒーターを具備し、誘導加熱ヒーター部の前方には、それぞれの誘導加熱ヒーターのすべての操作を行う上操作部２７を配置し、その通電状態等を確認するための上表示部２８を設け、前面には左側に魚を焼くための焙焼器２９、右側に焙焼器２９と電気抵抗発熱式ヒーターを操作するための前操作部３１、その通電状態等を確認するための前表示部３２を設ける。【選択図】図１
2007109424.tif 000002
【特許請求の範囲】
【請求項１】
外郭を構成する本体と、前記本体の上面に設けたトッププレートと、前記トッププレート上に設けた少なくとも１つの誘導加熱部と、前記トッププレートの下方に前記誘導加熱部に対応して設けた誘導加熱手段と、前記トッププレート上に設けた少なくとも１つの電気抵抗発熱式加熱部と、前記トッププレートの下方に前記電気抵抗発熱式加熱部に対応して設けた電気抵抗発熱式加熱手段と、前記各加熱手段に対応して前記トッププレート略同一面に設けた加熱調理条件等を入力する上操作部と前記本体の前面に設けた加熱調理条件等を入力する前操作部とを設け、前記誘導加熱手段の操作入力は前記上操作部でおこない、前記電気抵抗発熱式加熱手段の操作入力は前記前操作部でおこなう構成とした誘導加熱式調理器。
【請求項２】
外郭を構成する本体と、前記本体の上面に設けたトッププレートと、前記トッププレート上に設けた誘導加熱部と、前記トッププレートの下方に前記誘導加熱部に対応して設けた誘導加熱手段と、本体前面に設けた焙焼器と、前記焙焼器の内部に具備した電気抵抗発熱式加熱手段と、前記各加熱手段に対応して前記トッププレート略同一面に設けた加熱調理条件等を入力する上操作部と前記本体の前面に設けた加熱調理条件等を入力する前操作部とを設け、前記誘導加熱手段の操作入力は前記上操作部でおこない、前記電気抵抗発熱式加熱手段の操作入力は前記前操作部でおこなう構成とした誘導加熱式調理器。
【請求項３】
外郭を構成する本体と、前記本体の上面に設けたトッププレートと、前記トッププレート上に設けた少なくとも１つの誘導加熱部と、前記トッププレートの下方に前記誘導加熱部に対応して設けた誘導加熱手段と、前記トッププレート上に設けた少なくとも１つの電気抵抗発熱式加熱部と、前記トッププレートの下方に前記電気抵抗発熱式加熱部に対応して設けた電気抵抗発熱式加熱手段と、本体前面に設けた焙焼器と、前記焙焼器の内部に具備した電気抵抗発熱式加熱手段と、前記各加熱手段に対応して前記トッププレート略同一面に設けた加熱調理条件等を入力する上操作部と前記本体の前面に設けた加熱調理条件等を入力する前操作部とを設け、前記誘導加熱手段の操作入力は前記上操作部でおこない、前記電気抵抗発熱式加熱手段の操作入力は前記前操作部でおこなう構成とした誘導加熱式調理器。
【請求項４】
トッププレートに、焙焼器の動作状況がわかる表示部を設けた請求項２または３に記載の誘導加熱式調理器。
【請求項５】
上操作部もしくはその近傍に、電気抵抗発熱式加熱手段を操作不能にする操作無効手段を設けた請求項１〜３に記載の誘導加熱式調理器。
【請求項６】
前操作部は軸枢支され、回動自在に開閉する構成とした請求項１〜３に記載の誘導加熱式調理器。
【発明の詳細な説明】
【技術分野】
【０００１】
本発明は、一般家庭のキッチンで使用する誘導加熱式調理器に関し、特に操作部の構成に関する。
【背景技術】
【０００２】
図４は特許文献１に記載された従来の誘導加熱式調理器を示すものである。図４に示すように、本体ケース１と、その上方を覆うトッププレート２と、本体正面を構成する魚焼き庫（焙焼器）３、およびその前面を構成する扉部４と、スイッチつまみ等を有する操作部５と、流し台等に設置された際に、本体側方と流し台の隙間を覆い隠すための右サイドカバー６と、同じく左サイドカバー７から構成されている。
【０００３】
トッププレート２の上面手前左右には、誘導加熱ヒーターを示すサークル８、９が描かれており、また奥側に電気抵抗発熱式ヒーターを示すサークル１０が描かれ、それぞれトッププレート２の下方に各ヒーターが具備されている。
【０００４】
操作部５には、誘導加熱ヒーター、電気抵抗発熱式ヒーター、焙焼器３のそれぞれの操作手段１１がほぼ同一エリアに配置されている。
【０００５】
トッププレートの最前方には、加熱の状態がわかる表示部１２が設けられている。
【特許文献１】特開２００３−２０８９７０号公報
【発明の開示】
【発明が解決しようとする課題】
【０００６】
しかしながらこのような従来の構成では、左右誘導加熱ヒーターと電気抵抗発熱式ヒーター、焙焼器（加熱ヒーターは電気抵抗発熱式ヒーターであるシーズヒーターが一般的）の４つの機能の操作手段がほぼ同一面の操作部にあるため、操作のためのキーレイアウトが煩雑になり、使用者にとってたいへん使いづらい構成になっていた。また、誘導加熱ヒーターと電気抵抗発熱式ヒーター、焙焼器の各キーが必然的に近接しているため、誤って意図するキーと別のキーを押してしまい、電気抵抗発熱式ヒーターが知らない間に赤熱していたり、焙焼器の扉部のガラス窓が非常に高温になっていたりして、不意のやけど等の危険性もあった。
【０００７】
本発明は、前記従来の課題を解決するもので、複数の加熱手段の操作キーがわかりやすく、誤って操作してしまうことのない使い勝手の良い安全性を向上させた誘導加熱式調理器を提供することを目的とする。
【課題を解決するための手段】
【０００８】
前記従来の課題を解決するために、本発明の誘導加熱式調理器は、外郭を構成する本体と、前記本体の上面に設けたトッププレートと、前記トッププレート上に設けた少なくとも１つの誘導加熱部と、前記トッププレートの下方に前記誘導加熱部に対応して設けた誘導加熱手段と、前記トッププレート上に設けた少なくとも１つの電気抵抗発熱式加熱部と、前記トッププレートの下方に前記電気抵抗発熱式加熱部に対応して設けた電気抵抗発熱式加熱手段と、前記各加熱手段に対応して前記トッププレート略同一面に設けた加熱調理条件等を入力する上操作部と前記本体の前面に設けた加熱調理条件等を入力する前操作部とを設け、前記誘導加熱手段の操作入力は前記上操作部でおこない、前記電気抵抗発熱式加熱手段の操作入力は前記前操作部でおこなう構成としたものである。
【０００９】
これによって、誘導加熱手段の操作入力は、トッププレート上面の上操作部に集約しており、また電気抵抗発熱式加熱手段の操作入力は、前操作部に集約しているため、操作部エリアを充分に確保することができ、キーレイアウトも余裕を持ってわかりやすく配置することができる上に、比較的頻繁に使用する誘導加熱手段の操作部を上面に配置したために普段の使い勝手も著しく向上し、また不意に動作してしまうと高温になってしまう電気抵抗発熱式加熱手段の操作部を誤って押してしまうこともなく、安全性の著しい向上も図れるものである。
【００１０】
また、本発明の誘導加熱式調理器は、外郭を構成する本体と、前記本体の上面に設けたトッププレートと、前記トッププレート上に設けた誘導加熱部と、前記トッププレートの下方に前記誘導加熱部に対応して設けた誘導加熱手段と、本体前面に設けた焙焼器と、前記焙焼器の内部に具備した電気抵抗発熱式加熱手段と、前記各加熱手段に対応して前記トッププレート略同一面に設けた加熱調理条件等を入力する上操作部と前記本体の前面に設けた加熱調理条件等を入力する前操作部とを設け、前記誘導加熱手段の操作入力は前記上操作部でおこない、前記電気抵抗発熱式加熱手段の操作入力は前記前操作部でおこなう構成としたものである。
【００１１】
これによって、誘導加熱手段の操作入力は、トッププレート上面の上操作部に集約しており、また電気抵抗発熱式加熱手段の操作入力は、前操作部に集約しているため、操作部エリアを充分に確保することができ、キーレイアウトも余裕を持ってわかりやすく配置することができる上に、比較的頻繁に使用する誘導加熱手段の操作部を上面に配置したために普段の使い勝手も著しく向上し、また不意に動作してしまうと高温になってしまう電気抵抗発熱式加熱手段の操作部を誤って押してしまうこともなく、安全性の著しい向上も図れるものである。
【００１２】
また、本発明の誘導加熱式調理器は、外郭を構成する本体と、前記本体の上面に設けたトッププレートと、前記トッププレート上に設けた少なくとも１つの誘導加熱部と、前記トッププレートの下方に前記誘導加熱部に対応して設けた誘導加熱手段と、前記トッププレート上に設けた少なくとも１つの電気抵抗発熱式加熱部と、前記トッププレートの下方に前記電気抵抗発熱式加熱部に対応して設けた電気抵抗発熱式加熱手段と、本体前面に設けた焙焼器と、前記焙焼器の内部に具備した電気抵抗発熱式加熱手段と、前記各加熱手段に対応して前記トッププレート略同一面に設けた加熱調理条件等を入力する上操作部と前記本体の前面に設けた加熱調理条件等を入力する前操作部とを設け、前記誘導加熱手段の操作入力は前記上操作部でおこない、前記電気抵抗発熱式加熱手段の操作入力は前記前操作部でおこなう構成としたものである。
【００１３】
これによって、誘導加熱手段の操作入力は、トッププレート上面の上操作部に集約しており、また電気抵抗発熱式加熱手段の操作入力は、前操作部に集約しているため、操作部エリアを充分に確保することができ、キーレイアウトも余裕を持ってわかりやすく配置することができる上に、比較的頻繁に使用する誘導加熱手段の操作部を上面に配置したために普段の使い勝手も著しく向上し、また不意に動作してしまうと高温になってしまう電気抵抗発熱式加熱手段の操作部を誤って押してしまうこともなく、安全性の著しい向上も図れるものである。
【発明の効果】
【００１４】
本発明の誘導加熱式調理器は、複数の加熱手段の操作キーを主な機能別に分離することによりわかりやすし、誤って操作してしまうことのない使い勝手と安全性の向上を図ることができるものである。
【発明を実施するための最良の形態】
【００１５】
第１の発明は、外郭を構成する本体と、前記本体の上面に設けたトッププレートと、前記トッププレート上に設けた少なくとも１つの誘導加熱部と、前記トッププレートの下方に前記誘導加熱部に対応して設けた誘導加熱手段と、前記トッププレート上に設けた少なくとも１つの電気抵抗発熱式加熱部と、前記トッププレートの下方に前記電気抵抗発熱式加熱部に対応して設けた電気抵抗発熱式加熱手段と、前記各加熱手段に対応して前記トッププレート略同一面に設けた加熱調理条件等を入力する上操作部と前記本体の前面に設けた加熱調理条件等を入力する前操作部とを設け、前記誘導加熱手段の操作入力は前記上操作部でおこない、前記電気抵抗発熱式加熱手段の操作入力は前記前操作部でおこなう構成としたことにより、誘導加熱手段の操作入力は、トッププレート上面の上操作部に集約しており、また電気抵抗発熱式加熱手段の操作入力は、前操作部に集約しているため、操作部エリアを充分に確保することができ、キーレイアウトも余裕を持ってわかりやすく配置することができる上に、比較的頻繁に使用する誘導加熱手段の操作部を上面に配置したために普段の使い勝手も著しく向上し、また不意に動作してしまうと高温になってしまう電気抵抗発熱式加熱手段の操作部を誤って押してしまうこともなく、安全性の著しい向上も図れるものである。
【００１６】
第２の発明は、外郭を構成する本体と、前記本体の上面に設けたトッププレートと、前記トッププレート上に設けた誘導加熱部と、前記トッププレートの下方に前記誘導加熱部に対応して設けた誘導加熱手段と、本体前面に設けた焙焼器と、前記焙焼器の内部に具備した電気抵抗発熱式加熱手段と、前記各加熱手段に対応して前記トッププレート略同一面に設けた加熱調理条件等を入力する上操作部と前記本体の前面に設けた加熱調理条件等を入力する前操作部とを設け、前記誘導加熱手段の操作入力は前記上操作部でおこない、前記電気抵抗発熱式加熱手段の操作入力は前記前操作部でおこなう構成としたことにより、誘導加熱手段の操作入力は、トッププレート上面の上操作部に集約しており、また電気抵抗発熱式加熱手段の操作入力は、前操作部に集約しているため、操作部エリアを充分に確保することができ、キーレイアウトも余裕を持ってわかりやすく配置することができる上に、比較的頻繁に使用する誘導加熱手段の操作部を上面に配置したために普段の使い勝手も著しく向上し、また不意に動作してしまうと高温になってしまう電気抵抗発熱式加熱手段の操作部を誤って押してしまうこともなく、安全性の著しい向上も図れるものである。
【００１７】
第３の発明は、本発明の誘導加熱式調理器は、外郭を構成する本体と、前記本体の上面に設けたトッププレートと、前記トッププレート上に設けた少なくとも１つの誘導加熱部と、前記トッププレートの下方に前記誘導加熱部に対応して設けた誘導加熱手段と、前記トッププレート上に設けた少なくとも１つの電気抵抗発熱式加熱部と、前記トッププレートの下方に前記電気抵抗発熱式加熱部に対応して設けた電気抵抗発熱式加熱手段と、本体前面に設けた焙焼器と、前記焙焼器の内部に具備した電気抵抗発熱式加熱手段と、前記各加熱手段に対応して前記トッププレート略同一面に設けた加熱調理条件等を入力する上操作部と前記本体の前面に設けた加熱調理条件等を入力する前操作部とを設け、前記誘導加熱手段の操作入力は前記上操作部でおこない、前記電気抵抗発熱式加熱手段の操作入力は前記前操作部でおこなう構成としたことにより、誘導加熱手段の操作入力は、トッププレート上面の上操作部に集約しており、また電気抵抗発熱式加熱手段の操作入力は、前操作部に集約しているため、操作部エリアを充分に確保することができ、キーレイアウトも余裕を持ってわかりやすく配置することができる上に、比較的頻繁に使用する誘導加熱手段の操作部を上面に配置したために普段の使い勝手も著しく向上し、また不意に動作してしまうと高温になってしまう電気抵抗発熱式加熱手段の操作部を誤って押してしまうこともなく、安全性の著しい向上も図れるものである。
【００１８】
第４の発明は、第２または第３の発明のトッププレートに、焙焼器の動作状況がわかる表示部を設けた構成としたことにより、焙焼器の動作状況が、かがまなくても容易にトッププレート上を見ることによってわかるため、使い勝手の著しい向上が図れるものである。
【００１９】
第５の発明は、第１〜第３の発明の上操作部もしくはその近傍に、電気抵抗発熱式加熱手段を操作不能にする操作無効手段を設けた構成としたことにより、不意に動作してしまうと高温になってしまう電気抵抗発熱式加熱手段の操作部を意図的に操作無効にすることができ、安全性のさらなる向上が図れるものである。
【００２０】
第６の発明は、第１〜第３の発明の前操作部は軸枢支され、回動自在に開閉する構成としたことにより、不意に動作してしまうと高温になってしまう電気抵抗発熱式加熱手段の操作部を使用しないときは閉状態に保つことができ、不意の誤入力をさらに防止することができるものである。
【００２１】
以下、本発明の実施の形態について、図面を参照しながら説明する。なお、この実施の形態によって本発明が限定されるものではない。
【００２２】
（実施の形態１）
図１は、本発明の第１の実施の形態における誘導加熱式調理器の斜視図を示すものである。
【００２３】
図１において、調理器本体２１（誘導加熱調理器）は流し台２２の上面開口部（図示せず）から挿入設置されている。調理器本体２１は、外郭ケース２３、上面を覆うトッププレート２４で形成されており、トッププレート２４には誘導加熱ヒーター部を示すサークルパターンＡ２５と電気抵抗発熱式ヒーター部を示すサークルパターンＢ２６が描かれている。それぞれのサークルパターンの下方には、加熱調理を行うための誘導加熱コイルや電気抵抗発熱式ヒーターが具備されている。
【００２４】
また、誘導加熱ヒーター部の前方には、それぞれの誘導加熱ヒーターのすべての操作を行う上操作部２７が配置され、その通電状態等を確認するための上表示部２８が設けられている。
【００２５】
調理器本体２１の前面には、左側に魚を焼くための焙焼器２９、それを覆う扉部３０、右側に焙焼器２９と電気抵抗発熱式ヒーターを操作するための前操作部３１、その通電状態等を確認するための前表示部３２を有している。前操作部３１は、下方を軸３３で軸支され、回動自在に開閉する構成としている。
【００２６】
以上のように構成された組込式調理器について、以下その動作、作用を説明する。
【００２７】
この構成によって、誘導加熱ヒーターの操作入力は、トッププレート２４上面の上操作部２７に集約しており、また電気抵抗発熱式ヒーター（焙焼器２９のヒーターも同様）の操作入力は、前操作部３１に集約しているため、操作部エリアを充分に確保することができ、キーレイアウトも余裕を持ってわかりやすく配置することができる上に、比較的頻繁に使用する誘導加熱ヒーターの操作部を上面に配置したために普段の使い勝手も著しく向上し、また不意に動作してしまうと高温になってしまう電気抵抗発熱式ヒーターの操作部を誤って押してしまうこともなく、安全性の著しい向上も図れるものである。
【００２８】
また、前操作部３１を回動自在に構成したことにより、不意に動作してしまうと高温になってしまう電気抵抗発熱式ヒーターの操作をしないときは閉状態に保つことができ、不意の誤入力をさらに防止することができるものである。
【００２９】
（実施の形態２）
図２は、本発明の第２の実施の形態の誘導加熱式調理器の斜視図である。
【００３０】
図２において、トッププレート４１の手前側に焙焼器（グリル）４２の通電状態、例えば、加熱のＯＮ／ＯＦＦあるいはタイマー動作中・タイマー残時間等、がわかるグリル表示部４３を設けたものである。
【００３１】
以上のように本実施の形態においては、本体前方に位置し、比較的状況が確認しにくい焙焼器４２の動作状況が、かがまなくても容易にトッププレート４１上を見ることによってわかるため、使い勝手の著しい向上が図れるものである。
【００３２】
（実施の形態３）
図３は、本発明の第３の実施の形態の誘導加熱式調理器の斜視図である。
【００３３】
図３において、トッププレート５１の手前側に焙焼器５２および電気抵抗発熱式ヒーターの操作をする前操作部５３を無効にする操作無効キー５４を設けたものである。
【００３４】
以上のように本実施の形態においては、不意に動作してしまうと高温になってしまう焙焼器５２および電気抵抗発熱式ヒーターの操作部を意図的に操作無効にすることができ、安全性のさらなる向上が図れるものである。
【産業上の利用可能性】
【００３５】
以上のように、本発明にかかる誘導加熱式調理器は、複数の加熱手段の操作キーがわかりやすく、誤って操作してしまうことのない使い勝手の良い安全性を向上させたものであり、誘導加熱方式のヒーターを含むあらゆる組み合わせの複合調理器に適用できるものである。
【図面の簡単な説明】
【００３６】
【図１】本発明の第１の実施の形態における誘導加熱式調理器の斜視図
【図２】本発明の第２の実施の形態における誘導加熱式調理器の斜視図
【図３】本発明の第３の実施の形態における誘導加熱式調理器の斜視図
【図４】従来の誘導加熱式調理器の斜視図
【符号の説明】
【００３７】
２１  調理器本体
２２  流し台
２３  外郭ケース
２４、４１、５１  トッププレート
２５  サークルパターンＡ
２６  サークルパターンＢ
２７  上操作部
２８  上表示部
２９、４２、５２  焙焼器
３０  扉部
３１、５３  前操作部
３２  前表示部
３３  軸
４３  グリル表示部
５４  操作無効キー
【図１】
2007109424.tif 000003
【図２】
2007109424.tif 000004
【図３】
2007109424.tif 000005
【図４】
2007109424.tif 000006